(57)【要約】【課題】  歩行等の荷重が作用してもパネル材同士に隙間やずれが生じるのを防止するとともに、パネル材と支持部材との嵌合やパネル材同士の連結作業が容易な施工性および遮音性の高い床パネルおよび床パネルの敷設構造を提供する。【解決手段】  床パネル１は、矩形状のパネル材２と、該パネル材２を床基盤上に支持する支持部材３とを備える。パネル材２の下面側には、各辺に立設された周縁リブ２１に対して４５°の角度をなす方向に格子状リブ２２が設けられ、これらの周縁リブ２１および格子状リブ２２により囲繞されて正方形または直角二等辺三角形の嵌合凹部２３が形成されている。支持部材３の上面側には、隣り合う二つの嵌合凹部２３にそれぞれ嵌合させる略Ｖ字状の嵌合凸部３１が２個一対として形成され、支持部材３上に十字状に対向して四組突設されている。【選択図】  図３
2005163373.tif 000002
【特許請求の範囲】
【請求項１】
矩形状のパネル材と、該パネル材を床基盤上に支持する支持部材とを備えた床パネルであって、
パネル材の下面側には、各辺に立設された周縁リブに対して４５°の角度をなす方向に格子状リブが設けられ、これらの周縁リブおよび格子状リブにより囲繞されて正方形または直角二等辺三角形の嵌合凹部が形成されるとともに、
支持部材の上面側には、隣り合う二つの嵌合凹部にそれぞれ嵌合させる略Ｖ字状の嵌合凸部が２個一対として形成され、支持部材上に十字状に対向して四組突設されたことを特徴とする床パネル。
【請求項２】
一対の嵌合凸部において二つの嵌合凸部が近接する対向側面には、微少寸法だけ突出した調整突起が設けられて、支持部材の嵌合凹部との嵌合状態を調整しうることを特徴とする請求項１に記載の床パネル。
【請求項３】
格子状リブは基端側ほど拡厚してパネル材に立設されていることを特徴とする請求項１または２に記載の床パネル。
【請求項４】
パネル材は、熱可塑性樹脂と木質系材料との混合材からなり、熱可塑性樹脂に対する木質系材料の混合割合が１０〜９０％の範囲で形成されることを特徴とする請求項１〜３のいずれかに記載の床パネル。
【請求項５】
請求項１〜４に記載の床パネルを用いた床パネルの敷設構造であって、床基盤上に敷設された隣接する２枚のパネル材において、近接した各周縁リブにまたがって、該周縁リブ近傍の嵌合凹部に支持部材の嵌合凸部が二組ずつ嵌合して連結されたことを特徴とする床パネルの敷設構造。
【請求項６】
請求項１〜４に記載の床パネルを用いた床パネルの敷設構造であって、床基盤上に敷設された４枚のパネル材の各角隅部に形成された嵌合凹部に、支持部材の四組の嵌合凹部がそれぞれ嵌合して連結されたことを特徴とする床パネルの敷設構造。
【発明の詳細な説明】
【技術分野】
【０００１】
本発明は、床基盤上に敷設する床パネルに関する。
【背景技術】
【０００２】
近年、オフィス・オートメーション化に伴ってＯＡ機器の高密度配置を予定したオフィスのほか、学校研究施設、集合住宅等の建物の内装床として、床パネルを敷き詰めて二重床を形成し、パネル床下空間に電気配線類を格納するスペースを設けることがなされている。
【０００３】
例えば、特許文献１に開示されている床パネルは、パネル本体の裏面側が開口部を有する格子体で形成され、このパネル材の任意の開口部に別体の脚を挿し込んでパネル材を支持し、二重床を形成するものである。別体の脚は、先端部にスリットが切欠されており、開口部に挿し込まれたとき内側に撓み変形して嵌合するようになっている。また、この脚には、スリット下に８本の三角リブが突設されてパネル材の開口部に当接するように構成されている。パネル材の辺部には、水平方向に突設された断面山型の凸部と、この凸部の先端部が嵌り込む断面台形の凹部が設けられており、これらを嵌め合わせて敷設することで隣接するパネル材相互のずれを防止することが提案されている。
【特許文献１】実公平７−４８８５５号公報
【発明の開示】
【発明が解決しようとする課題】
【０００４】
複数枚の床パネルを敷き詰めて床面を形成したとき、歩行などによって床面に荷重がかかると床パネル同士が離間する方向に力が作用するため、床パネル同士の連結部分には隙間やずれが生じやすい。したがって、前記従来の技術による床パネルの場合、パネル材の辺部に形成された凸部と凹部とを嵌め合わせるだけでは、パネル材同士の連結部分は荷重によって離間しやすく、特にパネル材四隅の連結部分に隙間やがたつきが生じやすい。パネル材同士の間に隙間が生じると、床下の配線類を保護できないだけでなく、歩行者がつまずいたり、音鳴の原因にもなったりする。
【０００５】
また、かかるパネル材を支持する脚部は、先端部にスリットが設けられているのでパネル材への嵌合が容易であるが、この先端部における強度が劣り、パネル材同士が離間する方向の力に抗することができないので施工不良の原因ともなりかねない。
【０００６】
本発明は、このような事情にかんがみてなされたものであり、床基盤上に敷設して床面を形成する床パネルにおいて、歩行等の荷重が作用してもパネル材同士に隙間が生じたり、連結状態にがたつきが生じたりするのを防止するとともに、パネル材と支持部材との嵌合やパネル材同士の連結作業が容易な施工性および遮音性の高い床パネルおよび床パネルの敷設構造を提供することを目的としている。
【課題を解決するための手段】
【０００７】
前記の課題を解決するため、本発明は矩形状のパネル材と、該パネル材を床基盤上に支持する支持部材とを備えた床パネルであって、パネル材の下面側には、各辺に立設された周縁リブに対して４５°の角度をなす方向に格子状リブが設けられ、これらの周縁リブおよび格子状リブにより囲繞されて正方形または直角二等辺三角形の嵌合凹部が形成されるとともに、支持部材の上面側には、隣り合う二つの嵌合凹部にそれぞれ嵌合させる略Ｖ字状の嵌合凸部が２個一対として形成され、支持部材上に十字状に対向して四組突設された
ことを特徴としている。
【０００８】
この発明により、支持部材の嵌合凹部は、正方形または直角二等辺三角形のどちらの形状の嵌合凹部にも良好に嵌合することができ、パネル材に作用する荷重に十分に対応して支持することができる。これにより、パネル材同士の間に隙間が生じたり、がたついたりするのを防止することができる。
【０００９】
また、本発明は前記の床パネルにおいて、一対の嵌合凸部は、二つの嵌合凸部が近接している対向側面に、微少寸法だけ突出した調整突起が設けられて、支持部材の嵌合凹部との嵌合状態を調整しうることを特徴としている。
【００１０】
この発明により、パネル材の嵌合凹部と支持部材の嵌合凸部との間に多少の寸法誤差が発生しても、この調整突起により解消することができる。すなわち、嵌合凹部と嵌合凸部との間に微少の隙間ができた場合には、この調整突起が嵌合凹部に当接して嵌合凸部を固定し、嵌合凹部内でのがたつきが抑えられる。また、嵌合凹部が嵌合凸部よりやや小さい場合であっても、調整突起を嵌合凸部に押さえ付けながら嵌合凹部に嵌合することができるので、いずれの場合も支持部材によってパネル材が良好に支持される。
【００１１】
また、本発明では、格子状リブは基端側ほど拡厚してパネル材に立設されていることが好ましい。これにより、支持部材の嵌合凸部がパネル材の嵌合凹部に嵌合されるとき、嵌合凸部の嵌め込み量が短くても足り、嵌合作業が容易になる。
【００１２】
本発明の床パネルでは、パネル材は、熱可塑性樹脂と木質系材料との混合材からなり、熱可塑性樹脂に対する木質系材料の混合割合が１０〜９０％の範囲で形成されることを特徴としている。
【００１３】
ここで、前記熱可塑性樹脂の木質系材料の混合割合が１０％未満であると嵌合凸部の調整突起の弾性が不足し、木質系材料の混合割合が９０％を越えるとパネル材の成形が困難となる。したがって、かかる範囲内の材料でパネル材が形成されることが好ましい。
【００１４】
また、本発明は前記の床パネルを用いた床パネルの敷設構造であって、床基盤上に敷設された隣接する２枚のパネル材において、近接した各周縁リブにまたがって、該周縁リブ近傍の嵌合凹部に支持部材の嵌合凸部が二組ずつ嵌合して連結されたことを特徴とする。
【００１５】
さらに、本発明の床パネルの敷設構造は、床基盤上に敷設された４枚のパネル材の各角隅部に形成された嵌合凹部に、支持部材の四組の嵌合凹部がそれぞれ嵌合して連結されたことを特徴とする。
【００１６】
かかる敷設構造とすることにより、パネル材は角隅部および周辺部において支持部材によって良好に支持され、歩行等によって床パネルに相当の荷重が作用しても、隙間やがたつきを生じることなく良好な敷設状態を保つ敷設構造とすることができる。
【発明の効果】
【００１７】
本発明に係る床パネルおよび床パネルの敷設構造により、パネル材の嵌合凹部に支持部材の嵌合凸部が良好に嵌合されてパネル材を支持し、床面に歩行等の荷重が作用してもパネル材同士に隙間やずれが生じるのを防止することができる。また、嵌合凹部と嵌合凸部との間に多少の寸法誤差が発生しても、支持部材に形成された調整突起により解消することができ、良好な嵌合状態を確保しつつ、容易にパネル材同士の連結作業を行うことができ、施工性および遮音性の高い二重床を形成することができる。
【発明を実施するための最良の形態】
【００１８】
以下、本発明に係る床パネルの実施の形態について、図面を参照しつつ説明する。
【００１９】
図１および図２は本発明に係る床パネルの一実施例を示し、図１は床パネル下面側の一部分を示す平面図、図２は図１の部分拡大図、図３は床パネルの下面側の角隅部を示す平面図、図４は図３の部分拡大図である。
【００２０】
床パネル１は矩形状のパネル材２と、パネル材２を床基盤上に支持する支持部材３とを備えている。パネル材２は、例えば、ポリプロピレン、ポリエチレン、ポリオレフィン、ポリ塩化ビニル、ポリエチレンテレフタレート、ポリカーボネート、ポリスチレン、ＡＢＳ樹脂などの熱可塑性樹脂と、再利用木材の粉砕片、破砕片等の木質系材料とを原料に加熱成形され、熱可塑性樹脂に対する木質系材料の混合割合が１０〜９０％の範囲で形成されている。
【００２１】
パネル材２は、上面側は扁平に形成され、下面側にはパネル材２の各辺に周縁リブ２１が立設されている。また、パネル材２の下面側は、周縁リブ２１に対して４５°の角度をなす方向に複数本の格子状リブ２２が立設されており、互いに９０度の交差角で交差するとともに等間隔で並走するように設けられている。この格子状リブ２２は、断面形状がパネル材２の下面と垂直な方向に対して約２°の角度をなす、基端側ほど拡厚した形状で立設されている。
【００２２】
これらの周縁リブ２１および格子状リブ２２により、パネル材２の下面側には同一寸法の正方形の嵌合凹部２３が多数形成されるとともに、周辺部には同一寸法の直角二等辺三角形の嵌合凹部２３が複数形成される。特にパネル材２の四隅には、直角二等辺三角形の嵌合凹部２３が角隅部を二分するように２つずつ形成される。
【００２３】
支持部材３は上面視八角形状に形成され、この上面側には嵌合凸部３１が２個一対として隣接して備えられ、十字状に対向して四組突設されている。各嵌合凸部３１は、パネル材２に形成された直角二等辺三角形の嵌合凹部２３に嵌合しうる大きさで、略Ｖ字状に形成されている。
【００２４】
また、図２に示すように、パネル材２の一対の嵌合凸部３１において、二つの嵌合凸部３１が近接する対向側面には、微少寸法だけ突出した筋状の調整突起３２が設けられている。この調整突起３２はパネル材２の大きさに合わせて、嵌合凸部３１側面からの突出量、および形成幅がともに０．５〜２．０ｍｍ程度で形成されている。例示の形態では、パネル材２の下面に直交する方向に形成され、嵌合凸部３１の側面に２本設けられている。
【００２５】
このように形成された支持部材３の嵌合凸部３１は、パネル材２の下面側の隣り合った二つの嵌合凹部２３に嵌合されてパネル材２を支持するものとなる。また、パネル材２の角隅部においては、支持部材３の嵌合凸部３１が、直角二等辺三角形に形成されている嵌合凹部２３の長辺側に面で接触し、短辺側には調整突起３２の先端が当接して嵌合される。
【００２６】
これにより、嵌合凹部２３と嵌合凸部３１との間に微少の隙間がある場合には、この調整突起３２が嵌合凹部２３に当接して嵌合凸部３１を固定し、嵌合凹部２３内でのがたつきを抑えることができる。また、嵌合凹部２３が嵌合凸部３１よりやや小さい場合であっても、調整突起３２を嵌合凸部３１に押さえ付けながら嵌合凹部２３に嵌合することができる、良好な嵌合状態となる。したがって、パネル材２の嵌合凹部２３と支持部材３の嵌合凸部３１との間に、多少の寸法誤差が発生している場合でも、この調整突起３２によって寸法調整して誤差を解消することができる。
【００２７】
支持部材３の下面側には図示しない脚部が突設されて、支持部材３と床基盤との間に所定の空間を形成し、パネル材２を支持するように構成されている。
【００２８】
次に、上記のような構成で形成された床パネル１を用いて、床基盤上に複数枚の床パネル１を敷設して二重床を形成する敷設構造について説明する。
【００２９】
支持部材３はパネル材２の四隅や周辺部に配設されて、隣接するパネル材２同士を連結する。パネル材２は、嵌合凹部２３を支持部材３の嵌合凸部３１に嵌め込み、適宜の箇所が連結されて、床基盤上に複数枚敷き詰められ、碁盤目状に配設される。
【００３０】
ここで、床基盤上の隣り合った２枚のパネル材２においては、近接した周辺部に設けられている各周縁リブ２１にまたがって支持部材３が配設される。そして、パネル材２の周縁リブ２１近傍の正方形の嵌合凹部２３に対して、支持部材３の嵌合凸部３１が二組ずつ嵌合して連結される。また、４枚のパネル材２の角隅部が集合した箇所においては、直角二等辺三角形の各嵌合凹部２３に、支持部材３の四組の嵌合凹部２３がそれぞれ嵌合して連結される。さらに、パネル材２の下面側の適宜の箇所にも支持部材３を配設して、パネル材２に作用する荷重を受けるように構成してもよい。
【００３１】
このように床パネル１が敷設されることにより、パネル材２の嵌合凹部２３に、略Ｖ字状に形成された嵌合凸部３１のいずれか一方の側面が当接して荷重を受け、調整突起によりずれやがたつきを防止して、互いのパネル材２間に隙間を生じることなく連結することができる。また、支持部材３に形成されている調整突起３２によって良好な嵌合状態が確保されて、容易にパネル材同士の連結作業を進めることができ、施工性および遮音性の高い二重床を形成することができる。
【産業上の利用可能性】
【００３２】
本発明は床基盤上に敷設して二重床構造の床を形成するのに好適に利用でき、特にオフィス、学校研究施設、集合住宅等において電気配線や配管類を格納するために有効に利用することができる。
【図面の簡単な説明】
【００３３】
【図１】本発明に係る床パネルの角隅部を示し、下面側から見た平面図である。
【図２】図１の床パネルにおける嵌合凹部と嵌合凸部の嵌合状態を示した部分拡大図である。
【図３】本発明に係る床パネルの連結部分を示し、下面側から見た平面図である。
【図４】図３の床パネルにおける嵌合凹部と嵌合凸部の嵌合状態を示した部分拡大図である。
【符号の説明】
【００３４】
１  床パネル
２  パネル材
２１  周縁リブ
２２  格子状リブ
２３  嵌合凹部
３  支持部材
３１  嵌合凸部
３２  調整突起
【図１】
2005163373.tif 000003
【図２】
2005163373.tif 000004
【図３】
2005163373.tif 000005
【図４】
2005163373.tif 000006